(57)【要約】【課題】演色性が良い光を発するＬＥＤランプを提供すること。【解決手段】ＬＥＤランプＡであって、第１の色温度の光を出射する１以上の第１のＬＥＤモジュール３０Ａと、第２の色温度の光を出射する１以上の第２のＬＥＤモジュール３０Ｂと、を備え、上記第１の色温度と上記第２の色温度とは異なっており、一般用蛍光灯照明器具に取り付け可能である。【選択図】  図１
2009272072.tif 000002
【特許請求の範囲】
【請求項１】
複数のＬＥＤモジュールを備えたＬＥＤランプであって、
これらの複数のＬＥＤモジュールは、第１の色温度の光を出射する１以上の第１のＬＥＤモジュールと、第２の色温度の光を出射する１以上の第２のＬＥＤモジュールと、から構成され、
上記第１の色温度と上記第２の色温度とは異なっており、
一般用蛍光灯照明器具に取り付け可能であることを特徴とする、ＬＥＤランプ。
【請求項２】
上記第１のＬＥＤモジュールにより出射される光の発光強度、および、上記第２のＬＥＤモジュールにより出射される光の発光強度、をそれぞれ調整する制御手段をさらに有する、請求項１に記載のＬＥＤランプ。
【請求項３】
上記第１のＬＥＤモジュールおよび上記第２のＬＥＤモジュールは、いずれも白色光を出射するものである、請求項１または２に記載のＬＥＤランプ。
【請求項４】
上記ＬＥＤモジュールはそれぞれ、
青色光を出射するＬＥＤチップと、
このＬＥＤチップからの青色光により励起されることで緑色光を発する緑色蛍光体および上記ＬＥＤチップからの青色光により励起されることで赤色光を発する赤色蛍光体、からなる混合蛍光体と、を備え、
上記ＬＥＤチップからの青色光と上記混合蛍光体からの光とにより、上記白色光を出射する、請求項３に記載のＬＥＤランプ。
【請求項５】
上記制御手段の調整信号に対応する制御信号を受信するリモコン信号受信部をさらに有する、請求項２ないし４のいずれかに記載のＬＥＤランプ。
【発明の詳細な説明】
【技術分野】
【０００１】
本発明はＬＥＤランプに関する。
【背景技術】
【０００２】
図３は、従来のＬＥＤランプの一例を斜視図で示している（特許文献１参照）。ＬＥＤランプ９Ａは、たとえば蛍光灯の代替として用いられる。ＬＥＤランプ９Ａは、円筒形のパイプ９Ｐ、基板９１、ＬＥＤモジュール９３、キャップ９４および端子９５を備えている。基板９１およびＬＥＤモジュール９３は、パイプ９Ｐおよびキャップ９４に囲まれた空間に収容されている。基板９１は長矩形状平板である。ＬＥＤモジュール９３は、基板９１の上に複数実装されており、それぞれ同一の色温度の光を出射する機能を有する。キャップ９４は、端子９５を保持している。端子９５は、蛍光灯照明器具のソケットの差込口に、はめ込こむことができるように構成されている。端子９５を介することで、ＬＥＤランプ９Ａの外部からＬＥＤモジュール９３に電力が供給される。ＬＥＤランプ９Ａは従来の照明装置の光源としての白熱灯や蛍光灯に比べて高輝度および長寿命である、といった特徴を有する。そのため、ＬＥＤランプ９Ａは、将来の照明装置として期待されている。
【０００３】
照明光の質を評価する基準の一つに演色性が挙げられる。演色性は、照明光の性質を自然光との対比することにより表される。照明光を物体に照明したときの色調が自然光に近いほど、演色性が良いと評価される。そして、照明装置には、演色性がよい光を発するものが求められる傾向にある。だが、従来のＬＥＤランプ９Ａでは、かかる要望を十分に満足させることができなかった。
【０００４】
【特許文献１】実開平０６−５４１０３号公報
【発明の開示】
【発明が解決しようとする課題】
【０００５】
本発明は、上記した事情のもとで考え出されたものであって、演色性が良い光を発するＬＥＤランプを提供することをその課題とする。
【課題を解決するための手段】
【０００６】
本発明によって提供されるＬＥＤランプは、複数のＬＥＤモジュールを備えたＬＥＤランプであって、これらの複数のＬＥＤモジュールは、第１の色温度の光を出射する１以上の第１のＬＥＤモジュールと、第２の色温度の光を出射する１以上の第２のＬＥＤモジュールと、から構成され、上記第１の色温度と上記第２の色温度とは異なっており、一般用蛍光灯照明器具に取り付け可能であることを特徴としている。
【０００７】
本発明の好ましい実施の形態においては、上記第１のＬＥＤモジュールにより出射される光の発光強度、および、上記第２のＬＥＤモジュールにより出射される光の発光強度、をそれぞれ調整する制御手段をさらに有する。
【０００８】
このような構成によれば、上記ＬＥＤランプに様々な色温度の光を出射させることが可能となる。これにより、出射する光の色温度を変化させるために上記ＬＥＤランプを交換する作業は不要となる。
【０００９】
本発明の好ましい実施の形態においては、上記第１のＬＥＤモジュールおよび上記第２のＬＥＤモジュールは、いずれも白色光を出射するものである。
【００１０】
本発明の好ましい実施の形態においては、上記ＬＥＤモジュールはそれぞれ、青色光を出射するＬＥＤチップと、このＬＥＤチップからの青色光により励起されることで緑色光を発する緑色蛍光体および上記ＬＥＤチップからの青色光により励起されることで赤色光を発する赤色蛍光体、からなる混合蛍光体と、を備え、上記ＬＥＤチップからの青色光と上記混合蛍光体からの光とにより、上記白色光を出射する。
【００１１】
本発明の好ましい実施の形態においては、上記制御手段の調整信号に対応する制御信号を受信するリモコン信号受信部をさらに有する。
【００１２】
一般用蛍光灯照明器具とは、主に屋内の一般照明に広く用いられる照明器具であり、たとえば、日本国内においては、商用１００Ｖまたは２００Ｖの電源を用い、ＪＩＳ  Ｃ７６１７に定められた直管形蛍光ランプまたはＪＩＳ  Ｃ７６１８に定められた環形蛍光ランプが取り付けられる照明器具をいう。
【００１３】
本発明のその他の特徴および利点は、添付図面を参照して以下に行う詳細な説明によって、より明らかとなろう。
【発明を実施するための最良の形態】
【００１４】
以下、本発明の好ましい実施の形態につき、図面を参照して具体的に説明する。
【００１５】
図１は、本発明にかかるＬＥＤランプの一例を斜視図で示している。図２には、図１のＩＩ−ＩＩ線に沿う断面図を示している。ＬＥＤランプＡは、たとえば蛍光灯の代替として用いられる。ＬＥＤランプＡは、円筒形のパイプＰ、基板１０、放熱部材２０、ＬＥＤモジュール３０Ａ，３０Ｂ、制御装置Ｃ、リモコン信号受信部Ｒ、キャップ４０、および、端子５０を備えている。基板１０、放熱部材２０、ＬＥＤモジュール３０Ａ，３０Ｂ、制御装置Ｃ、および、リモコン信号受信部Ｒは、パイプＰ（図１では略）に収容されている。
【００１６】
基板１０は、たとえばガラスエポキシ製であり、長矩形状平板である。基板１０は、表面（図中上側）および裏面（図中下側）に形成され互いに離間する金属配線層（図示略）、スルーホール等、を備えている。なお、基板１０に、絶縁膜によって覆われたＡｌを用いても良い。放熱部材２０は、たとえばＡｌにより、基板１０の長手方向に沿って延びるように形成されている。放熱部材２０は、基板１０の裏面にネジなどにより取り付けられている。
【００１７】
ＬＥＤモジュール３０Ａ，３０Ｂは、基板１０の表面に実装されている。複数のＬＥＤモジュール３０Ａと複数のＬＥＤモジュール３０Ｂとが、基板１０の長手方向に沿って、互いに離間しつつ交互に配置されている。複数のＬＥＤモジュール３０Ａは、それぞれ同一の色温度の光を出射するように構成されている。一方、複数のＬＥＤモジュール３０Ｂも、それぞれ同一の色温度の出射するように構成されている。なお、ＬＥＤモジュール３０Ａは、本発明における第１のＬＥＤモジュールに相当する。一方、ＬＥＤモジュール３０Ｂは、本発明における第２のＬＥＤモジュールに相当する。ＬＥＤモジュール３０Ａ，３０Ｂは、ＬＥＤチップ（発光ダイオード）３１、互いに離間するリード３２，３３、ワイヤ３４、および、樹脂パッケージ３５を備えている。
【００１８】
ＬＥＤチップ３１は、ｎ型半導体層およびｐ型半導体層と、これらに挟まれた活性層とが積層された構造となっている。ＬＥＤチップ３１は、ＧａＮ系半導体からなる場合、青色光を発することができる。樹脂パッケージ３５には、蛍光体が混入されている。この蛍光体の種類により、ＬＥＤモジュール３０Ａ，３０Ｂは互いに異なる色温度の光を発することができる。
【００１９】
ＬＥＤモジュール３０Ａ、３０Ｂに白色光を出射させる場合、上記蛍光体は、たとえば、青色光により励起されて黄色光を発する黄色発光体である。ＬＥＤモジュール３０Ａ，３０Ｂは、ＬＥＤチップ３１からの青色光、上記黄色蛍光体からの黄色光により、白色光を出射することが可能となっている。
【００２０】
一方、上記蛍光体は、黄色蛍光体でなく、混合蛍光体であってもよい。この混合蛍光体は、青色光により励起されて赤色光を発する赤色蛍光体、および、青色光により励起されて緑色光を発する緑色発光体からなる。ＬＥＤモジュール３０Ａ，３０Ｂは、ＬＥＤチップ３１からの青色光、上記混合蛍光体からの赤色光および緑色光により、白色光を出射することが可能となっている。このとき、上記黄色蛍光体を樹脂パッケージ３５に混入した場合と比較してより演色性の高い白色光を、ＬＥＤモジュール３０Ａ，３０Ｂは出射できるようになっている。
【００２１】
樹脂パッケージ３５における上記蛍光体の混入割合を変化させることで、ＬＥＤモジュール３０Ａ，３０Ｂは、色温度３０００Ｋの白色光（電球色）や色温度６７００Ｋの白色光（昼光色）などの白色光を発することが可能となっている。たとえば、ＬＥＤモジュール３０Ａは昼光色の白色光を、ＬＥＤモジュール３０Ｂは電球色の白色光を出射できるように構成されている。
【００２２】
キャップ４０は、基板１０の長手方向の両端に接続されている。端子５０は、キャップ４０に保持されている。端子５０は、蛍光灯照明器具のソケットの差込口に、はめ込こむことができるように構成されている。端子５０は、それぞれ金属配線層（図示略）と導通している。端子５０を介することで、ＬＥＤランプＡの外部からＬＥＤモジュール３０Ａ，３０Ｂに電力が供給される。これにより、ＬＥＤチップ３１が発光することが可能となっている。
【００２３】
制御装置Ｃは、基板１０の端近傍における基板１０上に実装されている。制御装置Ｃは、ＬＥＤモジュール３０Ａ，３０ＢにおけるそれぞれのＬＥＤチップ３１の発光強度を調整する機能を有する。リモコン信号受信部Ｒは、制御装置Ｃに隣接して、基板１０上に実装されている。リモコン信号受信部Ｒは、制御装置Ｃと接続されている。リモコン信号受信部Ｒは、たとえば赤外線受光モジュールである。リモコン信号受信部Ｒは、ＬＥＤランプＡ外部から、電球色から昼光色までの所望の色温度の光をＬＥＤモジュール３０Ａ，３０Ｂに出射させるための制御信号を受信する。この制御信号を受信したリモコン信号受信部Ｒは、制御装置Ｃに、この制御信号に対応する調整信号を出力する。制御装置Ｃは、この調整信号により、ＬＥＤモジュール３０Ａ，３０ＢにおけるＬＥＤチップ３１の発光強度をそれぞれ調整する。これにより、ＬＥＤランプＡは、所望の、電球色から昼光色までの白色光を発することが可能となっている。
【００２４】
次に、ＬＥＤランプＡの作用について説明する。
【００２５】
本実施形態によれば、ＬＥＤランプＡに様々な色温度の光を出射させることが可能となる。特に、ＬＥＤモジュール３０Ａ、３０Ｂがいずれも白色光を発するように構成されている場合、ＬＥＤランプＡに色温度が３０００Ｋの白色光（電球色）から色温度が６７００Ｋの白色光（昼光色）までの任意の色温度の白色光を出射させることが可能となる。これにより、出射する光の色温度を変化させるためにＬＥＤランプＡの交換作業は不要となる。
【００２６】
リモコン信号受信部Ｒに信号を送信することにより、容易にＬＥＤランプＡが出射する光の色温度を調整できる。ＬＥＤランプＡが天井などの直接手の届かない場所に設置された場合などにおいて、特に有用である。
【００２７】
本発明に係るＬＥＤランプは、上述した実施形態に限定されるものではない。本発明に係るＬＥＤランプの各部の具体的な構成は、種々に設計変更自在である。たとえば、本実施形態において、２種類の異なる色温度の光を出射するＬＥＤモジュールを用いたＬＥＤランプについて説明したが、３種類以上の異なる色温度の光を出射するＬＥＤモジュールを用いても良い。
【００２８】
一方、ＬＥＤランプは、制御装置を備えていないものでもよい。このとき、ＬＥＤランプを使用中にＬＥＤモジュールの色温度を調整できない。しかし、複数種類の異なる色温度の光を発するＬＥＤモジュールを備えていることから、１種類の色温度の光を発するＬＥＤモジュールのみを備えている場合と比較して、ＬＥＤランプの発する光の演色性が向上するという利点がある。
【図面の簡単な説明】
【００２９】
【図１】本発明にかかるＬＥＤランプの一例を示す斜視図である。
【図２】図１のＩＩ―ＩＩ線に沿う断面図である。
【図３】従来のＬＥＤランプの一例を示す断面図である。
【符号の説明】
【００３０】
Ａ              ＬＥＤランプ
１０            基板
２０            放熱部材
３０Ａ，３０Ｂ  ＬＥＤモジュール
３１            ＬＥＤチップ
３２，３３      リード
３４            ワイヤ
３５            樹脂パッケージ
４０            キャップ
５０            端子
Ｃ              制御装置
Ｒ              リモコン信号受信部
Ｐ              パイプ
【図１】
2009272072.tif 000003
【図２】
2009272072.tif 000004
【図３】
2009272072.tif 000005